(57)【要約】  本発明は、作物を容易かつ適切に生長させることができる栽培システムの提供を課題とする。本発明の一態様に係る栽培システムは、１又は複数の端末が、栽培液の吸液量情報を含む作物の生育情報を管理サーバに送信する生育情報送信手段と、管理サーバから生育情報に基づく作物の栽培に適した生育環境情報を受信する生育環境情報受信手段とを有し、管理サーバが、作物を生育するのに適した生育情報に対応する最適生育情報を格納するデータベースと、１又は複数の端末から生育情報送信手段で送信される生育情報を受信する生育情報受信手段と、生育情報受信手段で受信した生育情報をデータベースに格納される最適生育情報と比較し、作物に適した生育環境情報を算出する生育環境算出手段と、生育環境算出手段で算出した生育環境情報を生育情報送信手段で生育情報を送信した端末に送信する生育環境情報送信手段とを有する。
2019163058.tif 000002
【特許請求の範囲】
【請求項１】
情報通信ネットワークを介して作物の生育を管理する栽培システムであって、
上記作物が栽培される圃場で用いられ、この作物の生育情報を取得可能な１又は複数の端末と、
上記１又は複数の端末とネットワーク通信可能な管理サーバと
を備え、
上記１又は複数の端末が、
栽培液の吸液量情報を含む上記作物の生育情報を上記管理サーバに送信する生育情報送信手段と、
上記管理サーバから上記生育情報に基づく上記作物の栽培に適した生育環境情報を受信する生育環境情報受信手段と
を有し、
上記管理サーバが、
上記作物を生育するのに適した上記生育情報に対応する最適生育情報を格納するデータベースと、
上記１又は複数の端末から上記生育情報送信手段で送信される生育情報を受信する生育情報受信手段と、
上記生育情報受信手段で受信した生育情報を上記データベースに格納される最適生育情報と比較し、上記作物に適した生育環境情報を算出する生育環境算出手段と、
上記生育環境算出手段で算出した生育環境情報を上記生育情報送信手段で生育情報を送信した端末に送信する生育環境情報送信手段と
を有する栽培システム。
【請求項２】
上記１又は複数の端末が、上記作物の品質、収量又は収穫時期に関する希望情報を上記管理サーバに送信する希望情報送信手段を有し、
上記管理サーバが、上記希望情報送信手段で送信される希望情報を受信する希望情報受信手段を有し、
上記生育環境算出手段が、上記希望情報を加味した上記生育環境情報を算出する請求項１に記載の栽培システム。
【請求項３】
上記生育環境情報が、光強度情報、上記栽培液の肥料濃度情報、風速情報、温度情報及び湿度情報の少なくともいずれか１つである請求項１又は請求項２に記載の栽培システム。
【請求項４】
上記生育情報が、さらに積算日射量情報、平均風速情報及び平均飽差情報の少なくともいずれか１つを含む請求項１、請求項２又は請求項３に記載の栽培システム。
【請求項５】
上記１又は複数の端末が、上記生育環境情報受信手段で受信した生育環境情報に基づいて上記作物を栽培した生育結果情報を上記管理サーバに送信する生育結果情報送信手段を有し、
上記管理サーバが、上記生育結果情報を受信する生育結果情報受信手段を有する請求項１から請求項４のいずれか１項に記載の栽培システム。
【請求項６】
作物を活着させる培地部と、
栽培液を貯留する貯留槽と、
上記貯留槽から上記培地部に毛管現象により栽培液を流通する送液部と、
上記貯留槽内の栽培液の水位が一定に保たれるよう上記貯留槽内の栽培液の減少量に応じて上記貯留槽に栽培液を供給する供給機構と、
上記貯留槽内の栽培液の減少量又は上記供給機構から上記貯留槽への栽培液の供給量に基づいて上記作物の吸液量情報を経時的に算出する演算手段と
を有する栽培ユニットをさらに備え、
上記生育情報送信手段が、上記演算手段で算出された吸液量情報を含む生育情報を上記管理サーバに送信する請求項１から請求項５のいずれか１項に記載の栽培システム。
【請求項７】
作物が栽培される圃場で用いられ、この作物の生育情報を取得可能な１又は複数の端末とネットワーク通信可能な管理サーバであって、
上記作物を生育するのに適した上記生育情報に対応する最適生育情報を格納するデータベースと、
上記１又は複数の端末から送信される栽培液の吸液量情報を含む上記作物の生育情報を上記データベースに格納される最適生育情報と比較し、上記作物に適した生育環境情報を算出する生育環境算出手段と、
上記生育環境算出手段で算出した生育環境情報を上記生育情報を送信した端末に送信する生育環境情報送信手段と
を有する管理サーバ。
【請求項８】
情報通信ネットワークを介して作物の生育を管理する栽培方法であって、
上記作物が栽培される圃場で用いられ、この作物の生育情報を取得可能な１又は複数の端末と、
上記作物を生育するのに適した上記生育情報に対応する最適生育情報を格納するデータベースを有し、上記１又は複数の端末とネットワーク通信可能な管理サーバと
を用い、
上記１又は複数の端末が栽培液の吸液量情報を含む上記作物の生育情報を上記管理サーバに送信する生育情報送信ステップと、
上記管理サーバが上記１又は複数の端末から上記生育情報送信ステップで送信される生育情報を受信する生育情報受信ステップと、
上記管理サーバが上記生育情報受信ステップで受信した生育情報を上記データベースに格納される最適生育情報と比較し、上記作物に適した生育環境情報を算出する生育環境算出ステップと、
上記管理サーバが上記生育環境算出ステップで算出した生育環境情報を上記生育情報送信ステップで生育情報を送信した端末に送信する生育環境情報送信ステップと、
上記１又は複数の端末が上記管理サーバから上記生育環境情報送信ステップで送信される生育環境情報を受信する生育環境情報受信ステップと
を有する栽培方法。
【発明の詳細な説明】
【技術分野】
【０００１】
本発明は、栽培システム、管理サーバ及び栽培方法に関する。
【背景技術】
【０００２】
作物を栽培する場合、作業者は通常作物の生育具合を定期的に観察し、葉の大きさ等の樹姿を基に給水量や施肥量等を調整する。この従来の栽培方法では、作業者が自身の限られた経験や知識に基づいて給水量、施肥量等を判断している。しかしながら、この栽培方法によると、作業者が自身の経験又は知識に基づいて判断できない場合や、作業者の熟練度が不十分な場合等には適切に対処できないことがある。従って、この栽培方法によると、十分な収量を得られない場合がある。【０００３】
そのため、今日では作業者個人の経験や知識に基づかないで作物を栽培することが可能な栽培システムが発案されている（特開２０１０−７５１７２号公報参照）。
【先行技術文献】
【特許文献】
【０００４】
【特許文献１】特開２０１０−７５１７２号公報
【発明の概要】
【０００５】
本発明の一態様に係る栽培システムは、情報通信ネットワークを介して作物の生育を管理する栽培システムであって、上記作物が栽培される圃場で用いられ、この作物の生育情報を取得可能な１又は複数の端末と、上記１又は複数の端末とネットワーク通信可能な管理サーバとを備え、上記１又は複数の端末が、栽培液の吸液量情報を含む上記作物の生育情報を上記管理サーバに送信する生育情報送信手段と、上記管理サーバから上記生育情報に基づく上記作物の栽培に適した生育環境情報を受信する生育環境情報受信手段とを有し、上記管理サーバが、上記作物を生育するのに適した上記生育情報に対応する最適生育情報を格納するデータベースと、上記１又は複数の端末から上記生育情報送信手段で送信される生育情報を受信する生育情報受信手段と、上記生育情報受信手段で受信した生育情報を上記データベースに格納される最適生育情報と比較し、上記作物に適した生育環境情報を算出する生育環境算出手段と、上記生育環境算出手段で算出した生育環境情報を上記生育情報送信手段で生育情報を送信した端末に送信する生育環境情報送信手段とを有する。
【０００６】
本発明の他の一態様に係る管理サーバは、作物が栽培される圃場で用いられ、この作物の生育情報を取得可能な１又は複数の端末とネットワーク通信可能な管理サーバであって、上記作物を生育するのに適した上記生育情報に対応する最適生育情報を格納するデータベースと、上記１又は複数の端末から送信される栽培液の吸液量情報を含む上記作物の生育情報を上記データベースに格納される最適生育情報と比較し、上記作物に適した生育環境情報を算出する生育環境算出手段と、上記生育環境算出手段で算出した生育環境情報を上記生育情報を送信した端末に送信する生育環境情報送信手段とを有する。
【０００７】
本発明の他の一態様に係る栽培方法は、情報通信ネットワークを介して作物の生育を管理する栽培方法であって、上記作物が栽培される圃場で用いられ、この作物の生育情報を取得可能な１又は複数の端末と、上記作物を生育するのに適した上記生育情報に対応する最適生育情報を格納するデータベースを有し、上記１又は複数の端末とネットワーク通信可能な管理サーバとを用い、上記１又は複数の端末が栽培液の吸液量情報を含む上記作物の生育情報を上記管理サーバに送信する生育情報送信ステップと、上記管理サーバが上記１又は複数の端末から上記生育情報送信ステップで送信される生育情報を受信する生育情報受信ステップと、上記管理サーバが上記生育情報受信ステップで受信した生育情報を上記データベースに格納される最適生育情報と比較し、上記作物に適した生育環境情報を算出する生育環境算出ステップと、上記管理サーバが上記生育環境算出ステップで算出した生育環境情報を上記生育情報送信ステップで生育情報を送信した端末に送信する生育環境情報送信ステップと、上記１又は複数の端末が上記管理サーバから上記生育環境情報送信ステップで送信される生育環境情報を受信する生育環境情報受信ステップとを有する。
【図面の簡単な説明】
【０００８】
【図１】本発明の一実施形態に係る栽培システムを示す概略ブロック図である。
【図２】図１の栽培システムの栽培ユニットを示す模式図である。
【図３】本発明の一実施形態に係る栽培方法を示すシーケンス図である。
【図４】図１の栽培システムとは異なる実施形態に係る栽培システムを示す概略ブロック図である。
【図５】図３の栽培方法とは異なる実施形態に係る栽培方法を示すシーケンス図である。
【図６】図１及び図４の栽培システムとは異なる実施形態に係る栽培システムを示す概略ブロック図である。
【図７】図３及び図５の栽培方法とは異なる実施形態に係る栽培方法を示すシーケンス図である。
【図８】図１、図４及び図６の栽培システムとは異なる実施形態に係る栽培システムを示す概略ブロック図である。
【図９】図３、図５及び図７の栽培方法とは異なる実施形態に係る栽培方法を示すシーケンス図である。
【発明を実施するための形態】
【０００９】
［本発明が解決しようとする課題］
上記公報に記載の栽培システムは、植物の置かれている環境を環境データとして取得する測定手段と、この植物の育成に適した育成環境データを記憶する記憶手段とを有しており、上記環境データと育成環境データとを比較することで植物が置かれている環境をこの植物の育成に適した育成環境に近づけるようガイド可能に構成されている。
【００１０】
上記公報に記載の栽培システムは、植物を育成するための外的環境を予め設定された環境に近づけるようにガイドするものである。そのため、この栽培システムによると、植物の実際の育成状況に合わせて植物の育成環境を調整することは困難である。特に、実際の栽培現場では、植物の日々の育成状況に応じて育成環境を微調整する必要が生じる場合があるが、この栽培システムによってはこのような微調整を行うことは困難である。
【００１１】
本発明は、このような事情に基づいてなされたものであり、作物を容易かつ適切に生長させることができる栽培システム、管理サーバ及び栽培方法の提供を課題とする。
【００１２】
［本発明の効果］
本発明に係る栽培システム、管理サーバ及び栽培方法は、作物を容易かつ適切に生長させることができる。
【００１３】
［本発明の実施形態の説明］
最初に本発明の実施態様を列記して説明する。
【００１４】
本発明の一態様に係る栽培システムは、情報通信ネットワークを介して作物の生育を管理する栽培システムであって、上記作物が栽培される圃場で用いられ、この作物の生育情報を取得可能な１又は複数の端末と、上記１又は複数の端末とネットワーク通信可能な管理サーバとを備え、上記１又は複数の端末が、栽培液の吸液量情報を含む上記作物の生育情報を上記管理サーバに送信する生育情報送信手段と、上記管理サーバから上記生育情報に基づく上記作物の栽培に適した生育環境情報を受信する生育環境情報受信手段とを有し、上記管理サーバが、上記作物を生育するのに適した上記生育情報に対応する最適生育情報を格納するデータベースと、上記１又は複数の端末から上記生育情報送信手段で送信される生育情報を受信する生育情報受信手段と、上記生育情報受信手段で受信した生育情報を上記データベースに格納される最適生育情報と比較し、上記作物に適した生育環境情報を算出する生育環境算出手段と、上記生育環境算出手段で算出した生育環境情報を上記生育情報送信手段で生育情報を送信した端末に送信する生育環境情報送信手段とを有する。
【００１５】
当該栽培システムは、データベースが、１又は複数の端末から送信される栽培液の吸液量情報を含む作物の生育情報に対応する最適生育情報を格納しているので、生育環境算出手段が、上記生育情報を上記最適生育情報と比較することで上記作物に適した生育環境情報を算出することができる。そのため、当該栽培システムによると、作物の実際の生育状況に基づいてこの作物の生育環境を制御することができる。従って、当該栽培システムは、作物を容易かつ適切に生長させることができる。
【００１６】
上記１又は複数の端末が、上記作物の品質、収量又は収穫時期に関する希望情報を上記管理サーバに送信する希望情報送信手段を有し、上記管理サーバが、上記希望情報送信手段で送信される希望情報を受信する希望情報受信手段を有し、上記生育環境算出手段が、上記希望情報を加味した上記生育環境情報を算出するとよい。このように、上記１又は複数の端末が、上記作物の品質、収量又は収穫時期に関する希望情報を上記管理サーバに送信し、上記生育環境算出手段が上記希望情報を加味した上記生育環境情報を算出することによって、上記作物の品質、収量又は収穫時期が作業者の希望に近づくよう上記作物の生長を促すことができる。
【００１７】
上記生育環境情報が、光強度情報、上記栽培液の肥料濃度情報、風速情報、温度情報及び湿度情報の少なくともいずれか１つであるとよい。このように、上記生育環境情報が光強度情報、上記栽培液の肥料濃度情報、風速情報、温度情報及び湿度情報の少なくともいずれか１つであることで、上記作物の生育状況に応じた好ましい生育環境情報を上記生育環境算出手段によって容易に算出することができる。
【００１８】
上記生育情報が、さらに積算日射量情報、平均風速情報及び平均飽差情報の少なくともいずれか１つを含むとよい。このように、上記生育情報が、上記吸液量情報に加え、積算日射量情報、平均風速情報及び平均飽差情報の少なくともいずれか１つを含むことによって、上記作物を生長させるうえでより適切な生育情報を得ることができる。
【００１９】
上記１又は複数の端末が、上記生育環境情報受信手段で受信した生育環境情報に基づいて上記作物を栽培した生育結果情報を上記管理サーバに送信する生育結果情報送信手段を有し、上記管理サーバが、上記生育結果情報を受信する生育結果情報受信手段を有するとよい。このように、上記１又は複数の端末が、上記生育環境情報受信手段で受信した生育環境情報に基づいて上記作物を栽培した生育結果情報を上記管理サーバに送信する生育結果情報送信手段を有し、上記管理サーバが、上記生育結果情報を受信する生育結果情報受信手段を有することによって、上記管理サーバに実際の生育結果情報をフィードバックすることができる。
【００２０】
当該栽培システムは、作物を活着させる培地部と、栽培液を貯留する貯留槽と、上記貯留槽から上記培地部に毛管現象により栽培液を流通する送液部と、上記貯留槽内の栽培液の水位が一定に保たれるよう上記貯留槽内の栽培液の減少量に応じて上記貯留槽に栽培液を供給する供給機構と、上記貯留槽内の栽培液の減少量又は上記供給機構から上記貯留槽への栽培液の供給量に基づいて上記作物の吸液量情報を経時的に算出する演算手段とを有する栽培ユニットをさらに備え、上記生育情報送信手段が、上記演算手段で算出された吸液量情報を含む生育情報を上記管理サーバに送信するとよい。このように、上記送液部が毛管現象によって栽培液を上記培地部に流通することで、上記作物の吸液量を上記培地部への供給量と略一致させることができるので、上記作物の吸液量情報を上記演算手段によって容易かつ確実に算出することができる。従って、上記生育情報送信手段によって上記作物の正確な吸液量を送信することができる。
【００２１】
また、本発明の他の一態様に係る管理サーバは、作物が栽培される圃場で用いられ、この作物の生育情報を取得可能な１又は複数の端末とネットワーク通信可能な管理サーバであって、上記作物を生育するのに適した上記生育情報に対応する最適生育情報を格納するデータベースと、上記１又は複数の端末から送信される栽培液の吸液量情報を含む上記作物の生育情報を上記データベースに格納される最適生育情報と比較し、上記作物に適した生育環境情報を算出する生育環境算出手段と、上記生育環境算出手段で算出した生育環境情報を上記生育情報を送信した端末に送信する生育環境情報送信手段とを有する。
【００２２】
当該管理サーバは、データベースが、１又は複数の端末から送信される栽培液の吸液量情報を含む作物の生育情報に対応する最適生育情報を格納しているので、生育環境算出手段が、上記生育情報を上記最適生育情報と比較することで上記作物に適した生育環境情報を算出することができる。そのため、当該管理サーバによると、作物の実際の生育状況に基づいてこの作物の生育環境を制御することができる。従って、当該管理サーバは、作物を容易かつ適切に生長させることができる。
【００２３】
また、本発明の他の一態様に係る栽培方法は、情報通信ネットワークを介して作物の生育を管理する栽培方法であって、上記作物が栽培される圃場で用いられ、この作物の生育情報を取得可能な１又は複数の端末と、上記作物を生育するのに適した上記生育情報に対応する最適生育情報を格納するデータベースを有し、上記１又は複数の端末とネットワーク通信可能な管理サーバとを用い、上記１又は複数の端末が栽培液の吸液量情報を含む上記作物の生育情報を上記管理サーバに送信する生育情報送信ステップと、上記管理サーバが上記１又は複数の端末から上記生育情報送信ステップで送信される生育情報を受信する生育情報受信ステップと、上記管理サーバが上記生育情報受信ステップで受信した生育情報を上記データベースに格納される最適生育情報と比較し、上記作物に適した生育環境情報を算出する生育環境算出ステップと、上記管理サーバが上記生育環境算出ステップで算出した生育環境情報を上記生育情報送信ステップで生育情報を送信した端末に送信する生育環境情報送信ステップと、上記１又は複数の端末が上記管理サーバから上記生育環境情報送信ステップで送信される生育環境情報を受信する生育環境情報受信ステップとを有する。
【００２４】
当該栽培方法は、データベースが、１又は複数の端末から送信される栽培液の吸液量情報を含む作物の生育情報に対応する最適生育情報を格納しているので、生育環境算出ステップで、上記生育情報を上記最適生育情報と比較することで上記作物に適した生育環境情報を算出することができる。そのため、当該栽培方法によると、作物の実際の生育状況に基づいてこの作物の生育環境を制御することができる。従って、当該栽培方法は、作物を容易かつ適切に生長させることができる。
【００２５】
本発明は、特徴的な処理ステップをコンピュータに実行させるためのプログラムとして実施することも可能である。また、本発明は、栽培システム又は管理サーバの一部又は全部を実現する半導体集積回路として実現することも可能である。
【００２６】
［本発明の実施形態の詳細］
本発明の好適な実施形態について、以下に図面を参照しつつ説明する。
【００２７】
［第一実施形態］
＜栽培システム＞
図１の栽培システム１は、情報通信ネットワークＸを介して作物Ｐの生育を管理する。当該栽培システム１は、作物Ｐが栽培される圃場で用いられ、この作物Ｐの生育情報を取得可能な複数の端末２と、複数の端末２とネットワーク通信可能な管理サーバ３とを備える。また、当該栽培システム１は、図２に示すように、作物Ｐを栽培可能な複数の栽培ユニット４を備える。なお、「圃場」とは、１又は複数の栽培ユニット４が設置される場所をいい、室内空間であってもよく、屋外空間であってもよい。また、「圃場で用いられる」とは、圃場内で使用可能に構成されている限り、実際の使用場所が圃場外である場合も含む。
【００２８】
複数の端末２は、栽培液Ｑの吸液量情報を含む作物Ｐの生育情報を管理サーバ３に送信する生育情報送信手段１１ａと、管理サーバ３から上記生育情報に基づく作物Ｐの栽培に適した生育環境情報を受信する生育環境情報受信手段１１ｂとを有する。管理サーバ３は、作物Ｐを生育するのに適した上記生育情報に対応する最適生育情報を格納するデータベース１２と、複数の端末２から生育情報送信手段１１ａで送信される生育情報を受信する生育情報受信手段１３ａと、生育情報受信手段１３ａで受信した生育情報をデータベース１２に格納される最適生育情報と比較し、作物Ｐに適した生育環境情報を算出する生育環境算出手段１４ａと、生育環境算出手段１４ａで算出した生育環境情報を生育情報送信手段１１ａで生育情報を送信した端末２に送信する生育環境情報送信手段１３ｂとを有する。なお、「栽培液の吸液量情報を含む作物の生育情報」とは、栽培液の吸液量情報を生育情報としてそのまま含む場合の他、栽培液の吸液量情報に基づいて算出される情報（例えば栽培液の積算吸液量情報）を生育情報として含む場合も包含する概念である。
【００２９】
当該栽培システム１は、データベース１２が、複数の端末２から送信される栽培液Ｑの吸液量情報を含む作物Ｐの生育情報に対応する最適生育情報を格納しているので、生育環境算出手段１４ａが、上記生育情報を上記最適生育情報と比較することで作物Ｐに適した生育環境情報を算出することができる。そのため、当該栽培システム１によると、作物Ｐの実際の生育状況に基づいてこの作物Ｐの生育環境を制御することができる。より詳しくは、当該栽培システム１は、日々変化し得る作物Ｐの生育情報に応じて作物Ｐの生育環境をリアルタイムで随時修正しつつこの作物Ｐを適切に生長させることができる。従って、当該栽培システム１は、作物Ｐを容易かつ適切に生長させることができる。また、当該栽培システム１は、栽培液Ｑの吸液量情報を含む作物Ｐの生育情報を用いてこの作物Ｐの生育環境を制御することができるので、作物Ｐの生育状況を目視にて確認しなくてもこの作物Ｐを適切に生長させることができる。
【００３０】
〈情報通信ネットワーク〉
情報通信ネットワークＸとしては、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）等の有線ネットワーク、無線ＬＡＮ（Ｗｉｒｅｌｅｓｓ  Ｌｏｃａｌ  Ａｒｅａ  Ｎｅｔｗｏｒｋ）、Ｂｌｕｅｔｏｏｔｈ（登録商標）等の無線ネットワーク、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）等の通信プロトコルを用いたインターネットなどが挙げられる。
【００３１】
〈作物〉
作物Ｐとしては、特に限定されるものではなく、例えば果菜類、根菜類、葉菜類、イネ科植物、花菜類等が挙げられるが、吸液量情報に基づいて適切に生長させやすい果菜類が好ましく、中でもトマトが特に好ましい。
【００３２】
〈栽培液〉
栽培液Ｑは、水に肥料を配合したものである。この肥料は、雑菌が繁殖することを抑制する観点から、化学肥料を含むことが好ましい。
【００３３】
（端末）
端末２は、例えば各圃場で作物Ｐを栽培する作業者各人が保有する。端末２としては、例えばスマートフォン、タブレット端末、ＰＤＡ（Ｐｅｒｓｏｎａｌ  Ｄｉｇｉｔａｌ  Ａｓｓｉｓｔａｎｔ）、ＰＣ（Ｐｅｒｓｏｎａｌ  Ｃｏｍｐｕｔｅｒ）、ウェアラブルＰＣ、ゲーム機等の携帯型又は据置き型端末が挙げられる。端末２は、例えば１つの圃場に対して１対１で設けられており、この圃場に設置される栽培ユニット４で栽培される作物Ｐの生育を制御するために用いられる。また、１つの圃場に複数の栽培ユニット４が設置される場合、端末２は、各栽培ユニット４に対して１対１で設けられてもよい。
【００３４】
複数の端末２は、情報通信ネットワークＸを介して管理サーバ３とデータ通信可能な通信手段１１と、ＣＰＵ（Ｃｅｎｔｒａｌ  Ｐｒｏｃｅｓｓｉｎｇ  Ｕｎｉｔ）を含み、各種通信の制御を行うと共に、例えばインストールされた所定のアプリケーションを実行する制御手段１５と、上記アプリケーションの実行や、その他必要な表示を行うディスプレイを含む表示手段（不図示）と、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ等の半導体や、ＨＤＤ（Ｈａｒｄ  Ｄｉｓｋ  Ｄｒｉｖｅ）等の記憶媒体を含み、所定のアプリケーションプログラム等を格納すると共に、アプリケーションの処理等に必要となるデータが必要に応じて読み込まれる記憶手段（不図示）とを有する。通信手段１１は、上述の生育情報送信手段１１ａ及び生育環境情報受信手段１１ｂを含む。なお、複数の端末２は、管理サーバ３に加え、栽培ユニット４とも有線又は無線通信可能に構成されていてもよい。
【００３５】
（管理サーバ）
管理サーバ３は、作物Ｐが栽培される圃場で用いられこの作物Ｐの生育情報を取得可能な複数の端末２とネットワーク通信可能に構成されている。管理サーバ３は、圃場毎又は栽培ユニット４毎に作物Ｐの好ましい生育環境情報を算出し、作物Ｐの好ましい生育環境情報を各圃場に対応して設けられる端末２に送信可能に構成されている。管理サーバ３は、例えば１又は複数のＣＰＵから構成することができる。管理サーバ３は、情報通信ネットワークＸを介して複数の端末２とデータ通信可能な通信手段１３と、ＣＰＵを含み、各種通信の制御を行うと共に、作物Ｐの生育に必要な情報を算出する制御手段１４と、ＲＡＭ、ＲＯＭ、フラッシュメモリ等の半導体や、ＨＤＤ等の記憶媒体を含み、データベース１２や制御手段１４の実行プログラム等を格納すると共に、制御手段１４の処理に必要となるデータが必要に応じて読み込まれる記憶手段（不図示）とを有する。通信手段１３は、上述の生育情報受信手段１３ａ及び生育環境情報送信手段１３ｂを含む。また、制御手段１４は、上述の生育環境算出手段１４ａを含む。
【００３６】
当該管理サーバ３は、データベース１２が複数の端末２から送信される栽培液Ｑの吸液量情報を含む作物Ｐの生育情報に対応する最適生育情報を格納しているので、生育環境算出手段１４ａが、上記生育情報を上記最適生育情報と比較することで作物Ｐに適した生育環境情報を算出することができる。そのため、当該管理サーバ３によると、作物Ｐの実際の生育状況に基づいてこの作物Ｐの生育環境を制御することができる。従って、当該管理サーバ３は、作物Ｐを容易かつ適切に生長させることができる。
【００３７】
（データベース）
データベース１２は、作物Ｐの吸液量情報、日射量情報、風速情報及び飽差情報の少なくともいずれか１つに基づく最適生育情報を格納する。データベース１２は、例えば作物Ｐの生育日数をＭ［日］、積算吸液量をＡ［Ｌ］とした場合、Ａ＝ｎＭ（但し、ｎは正の定数）によって求められる最適生育情報を格納する。中でも、データベース１２は、作物Ｐの積算吸収肥料量情報、積算日射量情報及び平均飽差情報に基づく最適生育情報を格納することが好ましい。具体的には、データベース１２は、作物Ｐの栽培液Ｑの活着時以降の積算吸液量［Ｌ］にこの栽培液Ｑの肥料濃度［ｍｅ／Ｌ］を乗じて求められる積算吸収肥料量をＦ［ｍｅ］、日射量計によって求められる作物Ｐの活着時以降における作物Ｐへの積算日射量をＳ［Ｗ・ｈｒ／ｍ２］、作物Ｐの活着時以降における栽培空間の平均温度及び平均湿度によって求められる上記栽培空間における平均飽差をＤ［ｇ／ｍ３］とし、作物Ｐの生長指標をＧとした場合、Ｇ＝Ｆ／（ＳαＤβ）（但し、α及びβは定数）で算出される最適生育情報を格納することが好ましい。また、データベース１２は、作物Ｐの積算吸収肥料量情報、積算日射量情報、平均風速情報及び平均飽差情報に基づく最適生育情報を格納することも好ましい。具体的には、風速計によって求められる上記栽培空間における作物Ｐの活着時以降の平均風速をＣ［ｍ／ｓ］とした場合、Ｇ＝Ｆ／（ＳαＤβＣγ）（但し、α、β及びγは定数）で算出される最適生育情報を格納することも好ましい。上記最適生育情報は、作物Ｐの種類毎に設定されてもよく、さらに作物Ｐの生長段階に応じて設定されてもよい。例えば作物Ｐがトマトである場合、作物Ｐの生長段階は、栽培期間の各日の平均温度を積算して求められる積算温度を基に定めることが可能である。具体的には、播種日から起算した積算温度が１０００℃となった時点を第１花房開花期、１２１０℃となった時点を第２花房開花期と規定することが可能である。なお、「栽培空間」とは、栽培ユニットが室内空間に設置される場合にはこの室内空間をいい、栽培ユニットが屋外に設置される場合にはこの屋外において作物を栽培するために区画された空間をいう。
【００３８】
（栽培ユニット）
栽培ユニット４は、図２に示すように、作物Ｐを活着させる培地部２１と、栽培液Ｑを貯留する貯留槽２２と、貯留槽２２から培地部２１に毛管現象により栽培液Ｑを流通する送液部２３と、貯留槽２２内の栽培液Ｑの水位が一定に保たれるよう貯留槽２２内の栽培液Ｑの減少量に応じて貯留槽２２に栽培液Ｑを供給する供給機構２４と、貯留槽２２内の栽培液Ｑの減少量又は供給機構２４から貯留槽２２への栽培液Ｑの供給量に基づいて作物Ｐの吸液量情報を経時的に算出する演算手段２５と、培地部２１、貯留槽２２及び送液部２３を支持する架台２６とを有する。
【００３９】
また、栽培ユニット４は、作物Ｐへの日射量情報を取得する日射量取得機構２７と、作物Ｐの上記栽培空間の風速を取得する風速取得機構２８と、作物Ｐを栽培する上記栽培空間の飽差情報を取得する飽差取得機構２９と、作物Ｐへ照射される光強度を調節する光強度調節機構３０と、作物Ｐに供給する栽培液Ｑの肥料濃度を調節する肥料濃度調節機構３１と、作物Ｐの上記栽培空間の風速を調節する風速調節機構３２と、上記栽培空間の温度を調節する温度調節機構３３と、上記栽培空間の湿度を調節する湿度調節機構３４とを有する。上述の演算手段２５、日射量取得機構２７、風速取得機構２８及び飽差取得機構２９は、生育情報取得機構３６を構成する。また、上述の光強度調節機構３０、肥料濃度調節機構３１、風速調節機構３２、温度調節機構３３及び湿度調節機構３４は、作物Ｐの生育環境を調節する生育環境調節機構３７を構成する。当該栽培システム１は、１つの圃場に１つの栽培ユニット４が設置されてもよく、１つの圃場に複数の栽培ユニット４が設置されてもよい。
【００４０】
（培地部）
培地部２１は、樋状の枠体２１ａ内に複数の粒子２１ｂが充填された構成を有する。培地部２１は、枠体２１ａの長手方向に複数の作物Ｐを活着可能に構成されてもよく、１つの作物Ｐのみを活着可能に構成されてもよい。枠体２１ａは、長手方向と垂直方向の断面がＵ字状である。枠体２１ａは、透水性及び防根性を有する帯状の透水シートによって構成されている。上記透水シートは、幅方向（長手方向と垂直な水平方向）の中心部を下方に弛ませた状態で幅方向の両端部が架台２６に固定されている。枠体２１ａの素材としては、特に限定されるものではなく、例えば紙、織布、不織布等が挙げられる。
【００４１】
複数の粒子２１ｂは、枠体２１ａ内に充填されて粒子層を構成する。粒子２１ｂとしては、枠体２１ａ内に充填されて毛管現象を発現するものであれば特に限定されないが、例えば土壌、パミスサンド等の微粒軽石、多孔性の火山岩の粉砕粒、粒状のロックウール、コーラルサンド、サンゴ、木炭等が挙げられる。
【００４２】
（貯留槽）
貯留槽２２は、後述の栽培液槽２４ａから供給される栽培液Ｑを一時貯留する。貯留槽２２は枠体２１ｂの下方に配設されている。貯留槽２２は樋状に形成されている。貯留槽２２の長手方向と枠体２１ｂの長手方向とは平行である。
【００４３】
（送液部）
送液部２３はシート体である。送液部２３の具体的な平面形状は特に限定されないが、例えば矩形状、好ましくは長方形状である。送液部２３は、短手方向の一端が貯留槽２２に貯留される栽培液Ｑ中に浸漬している。また、送液部２３は、他端側（栽培液Ｑ中に浸漬される側と反対側）の一部が枠体２１ａの底部と当接している。これにより、貯留槽２２に貯留される栽培液Ｑを毛管現象により揚水し、枠体２１ａの底部に供給可能に構成されている。送液部２３の材質としては、毛管現象により栽培液Ｑを揚水し、この栽培液Ｑを枠体２１ａの底部に供給できるものであれば特に限定されないが、例えば不織布、ロックウール、フェルト、ポリウレタン等の合成樹脂などが挙げられる。
【００４４】
（供給機構）
供給機構２４は、栽培液Ｑを貯留する栽培液槽２４ａと、栽培液槽２４ａに貯留される栽培液Ｑを貯留槽２２に圧送可能なポンプ２４ｂと、貯留槽２２の水位を検出するセンサ２４ｃと、貯留槽２２における栽培液Ｑの水位が一定以下である場合に栽培液槽２４ａから貯留槽２２に栽培液Ｑを供給するようにポンプ２４ｂを駆動すると共に、貯留槽２２における栽培液Ｑの水位が一定以上となった場合にポンプ２４ｂの駆動を停止する駆動制御部２４ｄとを有する。
【００４５】
〈センサ〉
センサ２４ｃは、所定間隔で経時的に貯留槽２２の水位を検出する。センサ２４ｃによる水位の検出間隔としては、特に限定されないが、例えば１秒以上６０秒以下の一定間隔とすることができる。センサ２４ｃの種類としては、貯留槽２２の水位を経時的に検出することができる限り特に限定されるものではなく、光学式、フロート式、静電容量式、超音波式等のレベルセンサを用いることができる。
【００４６】
〈駆動制御部〉
駆動制御部２４ｄは、センサ２４ｃで検出された貯留槽２２の水位を基にポンプ２４ｂを駆動制御する。栽培ユニット４は、後述するように演算手段２５がセンサ２４ｃで検出された貯留槽２２の水位の変化を容量に換算するよう構成されていてもよい。駆動制御部２４ｄは、演算手段２５で算出される容量分の栽培液Ｑを貯留槽２２に供給するようポンプ２４ｂを駆動制御するよう構成されてもよく、センサ２４ｃで検出される貯留槽２２の水位が一定になるまでポンプ２４ｂを駆動制御するよう構成されてもよい。
【００４７】
（演算手段）
演算手段２５は、ＣＰＵを含んで構成される。栽培ユニット４は、毛管現象によって栽培液Ｑを培地部２１に流通するので、貯留槽２２内の栽培液Ｑの減少量を作物Ｐの吸液量と一致させることができる。演算手段２５は、例えばセンサ２４ｃで検出された貯留槽２２の水位の変化を容量に換算し、この容量を作物Ｐの吸液量情報として算出する。一方、演算手段２５は、栽培液槽２４ａから貯留槽２２に栽培液Ｑを供給する供給管内に設けられる流量計３５によって計測される栽培液Ｑの流量から作物Ｐの吸液量情報を求めてもよい。なお、演算手段２５が貯留槽２２への栽培液Ｑの供給量に基づいて作物Ｐの吸液量情報を求める場合、流量計３５が演算手段２５を兼ねることも可能である。
【００４８】
（日射量取得機構）
日射量取得機構２７としては、作物Ｐに照射される日射量情報を取得可能な公知の器具を用いることができ、例えば照度計を用いることができる。
【００４９】
（風速取得機構）
風速取得機構２８としては、上記栽培空間における風速を測定可能な公知の器具を用いることができ、例えば風速計を用いることができる。風速取得機構２８は、上記栽培空間の複数個所で測定した風速の平均値を上記栽培空間の風速として求めてもよく、上記栽培空間の任意の１点の風速を上記栽培空間の風速として求めてもよい。
【００５０】
（飽差取得機構）
飽差取得機構２９としては、上記栽培空間における飽差情報を直接取得可能な器具を用いてもよいし、温度及び相対湿度を計測し、これらの値から飽差情報を間接的に取得するものでもよい。相対湿度を計測する湿度計としては、公知のものが使用でき、例えば乾湿計を用いることができる。
【００５１】
（光強度調節機構）
光強度調節機構３０としては、作物Ｐへ照射される光の光強度を調節可能な公知の部材を用いることができ、例えば遮光カーテン等の遮光部材を用いることができる。
【００５２】
（肥料濃度調節機構）
肥料濃度調節機構３１としては、作物Ｐに供給する栽培液Ｑの肥料濃度を調節可能な公知の構成を用いることができる。肥料濃度調節機構３１は、例えば栽培液槽２４ａに貯留される栽培液Ｑの肥料濃度を調節するものであってもよく、栽培液槽２４ａから排出された栽培液Ｑの肥料濃度を調節するものであってもよい。また、肥料濃度調節機構３１は、栽培液Ｑにおける水量を調節することで肥料濃度を調節するものであってもよく、栽培液Ｑにおける肥料の含有量を調節することで肥料濃度を調節するものであってもよい。
【００５３】
（風速調節機構）
風速調節機構３２としては、例えば当該栽培システムが室内空間を用いたものである場合、天窓や側窓等、屋外に連通する窓の開閉機構や循環ファンが挙げられる。
【００５４】
（温度調節機構）
温度調節機構３３としては、上記栽培空間の温度を調節可能な公知の部材を用いることができ、例えばスプリンクラー、ミスト発生器、送風ファン等を用いることができる。また、温度調節機構３３としては、栽培ユニット４が室内空間に設置される場合、ヒートポンプ等の冷暖房器、窓の開閉機構等を用いることも可能である。
【００５５】
（湿度調節機構）
湿度調節機構３４としては、上記栽培空間の湿度を調節可能な公知の部材を用いることができ、例えば上述の遮光カーテン、スプリンクラー、ミスト発生器、送風ファン、窓の開閉機構等を用いることができる。
【００５６】
以下、当該栽培システム１の各手段について詳説する。
【００５７】
（生育情報送信手段）
生育情報送信手段１１ａは、作物Ｐの見た目に依拠しない生育情報を管理サーバ３に送信する。生育情報送信手段１１ａは、演算手段２５で算出された吸液量情報を含む生育情報を管理サーバ３に送信する。当該栽培システム１は、送液部２３が毛管現象によって栽培液Ｑを培地部２１に流通することで作物Ｐの吸液量を培地部２１への供給量と略一致させることができるので、作物Ｐの吸液量情報を演算手段２５によって容易かつ確実に算出することができる。従って、当該栽培システム１は、生育情報送信手段１１ａによって作物Ｐの正確な吸液量を送信することができる。生育情報送信手段１１ａは、演算手段２５で算出された吸液量情報のみを作物Ｐの生育情報として管理サーバ３に送信してもよく、上記吸液量情報に加え、日射量取得機構２７で取得された日射量情報、風速取得機構２８で取得された風速情報及び飽差取得機構２９で取得された飽差情報の少なくともいずれか１つを作物Ｐの生育情報として管理サーバ３に送信してもよい。つまり、上記生育情報は、上記吸液量情報に加え、日射量情報、風速情報及び飽差情報の少なくともいずれか１つを含んでいてもよい。またこの場合、生育情報送信手段１１ａは、上記吸液量情報、日射量情報、風速情報及び飽差情報をそのまま管理サーバ３に送信してもよく、例えば制御手段１５によって積算吸液量情報、積算日射量情報、平均風速情報及び平均飽差情報を算出したうえで管理サーバ３に送信してもよい。さらに、生育情報送信手段１１ａは、上記吸液量情報、日射量情報、風速情報及び飽差情報をそれぞれ送信してもよく、これらの情報に所定の演算を加えた情報を管理サーバ３に送信してもよい。当該栽培システム１は、上記生育情報が、上記吸液量情報に加え、日射量情報、風速情報及び飽差情報の少なくともいずれか１つを含むことによって、作物Ｐを生長させるうえでより適切な外部環境を加味した生育情報を得ることができる。
【００５８】
（生育情報受信手段）
生育情報受信手段１３ａは、上述のように生育情報送信手段１１ａで送信される生育情報を受信する。
【００５９】
（生育環境算出手段）
生育環境算出手段１４ａは、複数の端末２から送信される栽培液Ｑの吸液量情報を含む作物Ｐの生育情報をデータベース１２に格納される最適生育情報と比較し、作物Ｐに適した生育環境情報を算出する。生育環境算出手段１４ａは、例えば生育情報受信手段１３ａで生育情報として作物Ｐの吸液量情報を受信した場合、この吸液量情報に基づく作物Ｐに適した生育環境情報を算出する。この場合、例えばデータベース１２が、上述のようにＡ＝ｎＭによって表される最適生育情報を格納し、生育環境算出手段１４ａはこの最適生育情報に近づけるための作物Ｐの生育環境情報を算出する。
【００６０】
一方、生育環境算出手段１４ａは、生育情報受信手段１３ａで生育情報として上記吸液量情報に加え、日射量情報、風速情報及び飽差情報の少なくともいずれか１つを受信した場合、これらの生育情報に基づく作物Ｐに適した生育環境情報を算出する。この場合、例えばデータベース１２が、上述のようにＧ＝Ｆ／（ＳαＤβ）又はＧ＝Ｆ／（ＳαＤβＣγ）で表される最適生育情報を格納し、生育環境算出手段１４ａはこの最適生育情報に近づけるための作物Ｐの生育環境情報を算出する。
【００６１】
生育環境算出手段１４ａで算出する上記生育環境情報は、上述の生育環境調節機構３７によって調節可能な生育環境情報である。生育環境算出手段１４ａで算出する上記生育環境情報は、光強度情報、栽培液Ｑの肥料濃度情報、風速情報、温度情報及び湿度情報の少なくともいずれか１つであるとよい。当該栽培システム１は、上記生育環境情報が光強度情報、上記栽培液の肥料濃度情報、風速情報、温度情報及び湿度情報の少なくともいずれか１つであることで、作物Ｐの生育状況に応じた好ましい生育環境情報を生育環境算出手段１４ａによって容易に算出することができる。また、この構成によれば、例えば季節等の関係で温度や湿度を調節することが困難な場合であっても、他の生育環境情報を用いることで作物Ｐを適切に生長させやすい。
【００６２】
（生育環境情報送信手段）
生育環境情報送信手段１３ｂは、生育情報送信手段１１ａで上記生育情報を送信した端末２に、この生育情報に対して生育環境算出手段１４ａで算出された生育環境情報を送信する。
【００６３】
（生育環境情報受信手段）
生育環境情報受信手段１１ｂは、生育環境情報送信手段１３ｂで送信される生育環境情報を受信する。
【００６４】
＜栽培方法＞
次に、図３を参照して本発明の一実施形態に係る栽培方法について説明する。当該栽培方法は、情報通信ネットワークを介して作物の生育を管理する。当該栽培方法は、作物が栽培される圃場で用いられ、この作物の生育情報を取得可能な複数の端末と、作物を生育するのに適した上記生育情報に対応する最適生育情報を格納するデータベースを有し、複数の端末とネットワーク通信可能な管理サーバとを用いる。当該栽培方法は、図１の栽培システム１を用いて好適に実施することができる。そのため、以下では図１の栽培システム１を用いる場合について説明する。
【００６５】
当該栽培方法は、複数の端末２が栽培液Ｑの吸液量情報を含む作物Ｐの生育情報を管理サーバ３に送信する生育情報送信ステップ（Ｓ０１）と、管理サーバ３が複数の端末２から生育情報送信ステップ（Ｓ０１）で送信される生育情報を受信する生育情報受信ステップ（Ｓ０２）と、管理サーバ３が生育情報受信ステップ（Ｓ０２）で受信した生育情報をデータベース１２に格納される最適生育情報と比較し、作物Ｐに適した生育環境情報を算出する生育環境算出ステップ（Ｓ０３）と、管理サーバ３が生育環境算出ステップ（Ｓ０３）で算出した生育環境情報を生育情報送信ステップ（Ｓ０１）で生育情報を送信した端末２に送信する生育環境情報送信ステップ（Ｓ０４）と、複数の端末２が管理サーバ３から生育環境情報送信ステップ（Ｓ０４）で送信される生育環境情報を受信する生育環境情報受信ステップ（Ｓ０５）とを有する。
【００６６】
当該栽培方法は、上記一連のステップを一定間隔で繰り返し行うことが好ましい。上記一連のステップの繰り返し間隔の上限としては、１０日が好ましく、５日がより好ましく、２日がさらに好ましい。一方、上記繰り返し間隔の下限としては、例えば１分とすることができ、当該栽培方法のランニングコストを抑制する観点からは１時間であってもよく、１０時間であってもよい。
【００６７】
当該栽培方法は、データベース１２が複数の端末２から送信される栽培液Ｑの吸液量情報を含む作物Ｐの生育情報に対応する最適生育情報を格納しているので、生育環境算出ステップ（Ｓ０３）で、上記生育情報を上記最適生育情報と比較することによって作物Ｐに適した生育環境情報を算出することができる。そのため、当該栽培方法によると、作物Ｐの実際の生育状況に基づいてこの作物Ｐの生育環境を制御することができる。より詳しくは、当該栽培方法は、日々変化し得る作物Ｐの生育情報に応じて作物Ｐの生育環境をリアルタイムで随時修正しつつこの作物Ｐを適切に生長させることができる。従って、当該栽培方法は、作物Ｐを容易かつ適切に生長させることができる。また、当該栽培方法は、栽培液Ｑの吸液量情報を含む作物Ｐの生育情報を用いてこの作物Ｐの生育環境を制御することができるので、作物Ｐの生育状況を目視にて確認しなくてもこの作物Ｐを適切に生長させることができる。
【００６８】
（生育情報送信ステップ）
Ｓ０１は、生育情報送信手段１１ａによって行われる。Ｓ０１では、作物Ｐの見た目に依拠しない生育情報を管理サーバ３に送信する。Ｓ０１では、演算手段２５で算出された吸液量情報を含む生育情報を管理サーバ３に送信する。Ｓ０１では、演算手段２５で算出された吸液量情報のみを作物Ｐの生育情報として管理サーバ３に送信してもよく、上記吸液量情報に加え、日射量取得機構２７で取得された日射量情報、風速取得機構２８で取得された風速情報及び飽差取得機構２９で取得された飽差情報の少なくともいずれか１つを作物Ｐの生育情報として管理サーバ３に送信してもよい。つまり、上記生育情報は、上記吸液量情報に加え、日射量情報、風速情報及び飽差情報の少なくともいずれか１つを含んでいてもよい。またこの場合、Ｓ０１では、上記吸液量情報、日射量情報、風速情報及び飽差情報をそのまま管理サーバ３に送信してもよく、例えば制御手段１５によって積算吸液量情報、積算日射量情報、平均風速情報及び平均飽差情報を算出したうえで管理サーバ３に送信してもよい。さらに、Ｓ０１では、上記吸液量情報、日射量情報、風速情報及び飽差情報をそれぞれ送信してもよく、これらの情報に所定の演算を加えた情報を管理サーバ３に送信してもよい。
【００６９】
（生育情報受信ステップ）
Ｓ０２は、生育情報受信手段１３ａによって行われる。Ｓ０２では、上述のようにＳ０１で送信される生育情報を受信する。
【００７０】
（生育環境算出ステップ）
Ｓ０３は、生育環境算出手段１４ａによって行われる。Ｓ０３では、例えばＳ０２で生育情報として作物Ｐの吸液量情報を受信した場合、この吸液量情報に基づく作物Ｐに適した生育環境情報を算出する。この場合、例えばデータベース１２が上述のようにＡ＝ｎＭによって表される最適生育情報を格納し、Ｓ０３でこの最適生育情報に近づけるための作物Ｐの生育環境情報を算出する。
【００７１】
一方、Ｓ０３では、Ｓ０２で生育情報として上記吸液量情報に加え、日射量情報、風速情報及び飽差情報の少なくともいずれか１つを受信した場合、これらの生育情報に基づく作物Ｐに適した生育環境情報を算出する。この場合、例えばデータベース１２が上述のようにＧ＝Ｆ／（ＳαＤβ）又はＧ＝Ｆ／（ＳαＤβＣγ）で表される最適生育情報を格納し、Ｓ０３でこの最適生育情報に近づけるための作物Ｐの生育環境情報を算出する。
【００７２】
Ｓ０３で算出する上記生育環境情報は、上述の生育環境調節機構３７によって調節可能な生育環境情報である。Ｓ０３で算出する上記生育環境情報は、光強度情報、栽培液Ｑの肥料濃度情報、風速情報、温度情報及び湿度情報の少なくともいずれか１つであるとよい。
【００７３】
（生育環境情報送信ステップ）
Ｓ０４は、生育環境情報送信手段１３ｂによって行われる。Ｓ０４では、Ｓ０１で上記生育情報を送信した端末２に、この生育情報に対してＳ０３で算出された生育環境情報を送信する。
【００７４】
（生育環境情報受信ステップ）
Ｓ０５は、生育環境情報受信手段１１ｂによって行われる。Ｓ０５では、Ｓ０４で送信される生育環境情報を受信する。
【００７５】
［第二実施形態］
＜栽培システム＞
図４の栽培システム４１は、情報通信ネットワークＸを介して作物Ｐの生育を管理する。当該栽培システム４１は、作物Ｐが栽培される圃場で用いられ、この作物Ｐの生育情報を取得可能な複数の端末４２と、複数の端末４２とネットワーク通信可能な管理サーバ３と、作物Ｐを栽培可能な複数の栽培ユニット４とを備える。当該栽培システム４１は、栽培ユニット４及びこの栽培ユニット４に対応する端末４２が情報通信可能に構成されている。当該栽培システム４１は、栽培ユニット４及びこの栽培ユニット４に対応する端末４２が栽培装置４３を構成している。なお、管理サーバ３、栽培ユニット４及び情報通信ネットワークＸとしては、図１の栽培システム１と同様とすることができるため、同一符号を付して説明を省略する。
【００７６】
（端末）
端末４２は、対応する栽培ユニット４と一体的に設けられてもよく、別体として設けられてもよい。栽培ユニット４と別体として設けられる場合の端末４２としては、例えばスマートフォン、タブレット端末、ＰＤＡ、ＰＣ、ウェアラブルＰＣ、ゲーム機等の携帯型又は据置き型端末が挙げられる。
【００７７】
端末４２は、栽培液Ｑの吸液量情報を含む作物Ｐの生育情報を管理サーバ３に送信する生育情報送信手段４４ａと、管理サーバ３から上記生育情報に基づく作物Ｐの栽培に適した生育環境情報を受信する生育環境情報受信手段４４ｂと、栽培ユニット４で栽培される作物Ｐの生育情報を取得する生育情報取得手段４５ａと、栽培ユニット４で栽培される作物Ｐの生育環境を制御する生育環境制御手段４５ｂとを有する。
【００７８】
端末４２は、情報通信ネットワークＸを介して管理サーバ３とデータ通信可能な通信手段４４と、ＣＰＵを含み、各種通信の制御を行うと共に、例えばインストールされた所定のアプリケーションを実行する制御手段４５と、上記アプリケーションの実行や、その他必要な表示を行うディスプレイを含む表示手段（不図示）と、ＲＡＭ、ＲＯＭ、フラッシュメモリ等の半導体や、ＨＤＤ等の記憶媒体を含み、所定のアプリケーションプログラム等を格納すると共に、アプリケーションの処理等に必要となるデータが必要に応じて読み込まれる記憶手段（不図示）とを有する。通信手段４４は、上述の生育情報送信手段４４ａ及び生育環境情報受信手段４４ｂを含む。制御手段４５は、上述の生育情報取得手段４５ａ及び生育環境制御手段４５ｂを含む。生育情報送信手段４４ａは、生育情報取得手段４５ａで取得された生育情報を送信する以外、図１の栽培システム１の生育情報取得手段１１ａと同様に構成される。また、生育環境情報受信手段４４ｂは、図１の栽培システム１の生育環境情報受信手段１１ｂと同様に構成される。
【００７９】
（生育情報取得手段）
生育情報取得手段４５ａは、演算手段２５で算出された作物Ｐの吸液量情報を含む作物Ｐの生育情報を取得する。生育情報取得手段４５ａは、上述の生育情報取得機構３６で取得された生育情報を取得する。生育情報取得手段４５ａは、上記吸液量情報に加え、日射量情報、風速情報及び飽差情報の少なくともいずれか１つを含む生育情報を取得することが好ましい。
【００８０】
（生育環境制御手段）
生育環境制御手段４５ｂは、生育環境情報受信手段４４ｂで受信した生育環境情報に基づいて作物Ｐの生育環境を制御する。生育環境制御手段４５ｂは、上述の生育環境調節機構３７を制御することで生育環境を制御する。生育環境制御手段４５ｂは、生育環境情報受信手段４４ｂが生育環境情報を受信すると作物Ｐの生育環境を自動的に制御するよう構成されていることが好ましい。生育環境制御手段４５ｂによって制御する生育環境は、光強度、栽培液Ｑの肥料濃度、風速、温度及び湿度の少なくともいずれか１つであるとよい。生育環境制御手段４５ｂは、光強度調節機構３０を制御することで作物Ｐに照射される光強度を制御可能に構成されている。生育環境制御手段４５ｂは、肥料濃度調節機構３１を制御することで作物Ｐに供給する栽培液Ｑの肥料濃度を制御可能に構成されている。生育環境制御手段４５ｂは、風速調節機構３２を制御することで上記栽培空間の風速を制御可能に構成されている。生育環境制御手段４５ｂは、温度調節機構３３を制御することで上記栽培空間の温度を制御可能に構成されている。生育環境制御手段４５ｂは、湿度調節機構３４を制御することで上記栽培空間の湿度を制御可能に構成されている。
【００８１】
当該栽培システム４１は、端末４２が栽培ユニット４で栽培される作物Ｐの生育情報を取得する生育情報取得手段４５ａと、栽培ユニット４で栽培される作物Ｐの生育環境を制御する生育環境制御手段４５ｂとを有するので、作物Ｐをより適切に生育することができる。特に、当該栽培システム４１は、生育環境情報受信手段４４ｂが作物Ｐの生育環境を自動的に制御するように構成されることで、生育環境を調節するうえでの人為的なミスを抑制し、作物Ｐをさらに適切に生育することができる。
【００８２】
＜栽培方法＞
次に、図５を参照して図４の栽培システム４１を用いた栽培方法について説明する。当該栽培方法は、情報通信ネットワークＸを介して作物Ｐの生育を管理する。当該栽培方法は、作物Ｐが栽培される圃場で用いられ、この作物Ｐの生育情報を取得可能な複数の端末４２と、作物Ｐを生育するのに適した上記生育情報に対応する最適生育情報を格納するデータベース１２を有し、複数の端末４２とネットワーク通信可能な管理サーバ３とを用いる。
【００８３】
当該栽培方法は、複数の端末４２が栽培ユニット４で栽培される作物Ｐの生育情報を取得する生育情報取得ステップ（Ｓ１１）と、複数の端末４２が生育情報取得ステップ（Ｓ１１）で取得された栽培液Ｑの吸液量情報を含む作物Ｐの生育情報を管理サーバ３に送信する生育情報送信ステップ（Ｓ１２）と、管理サーバ３が複数の端末４２から生育情報送信ステップ（Ｓ１２）で送信される生育情報を受信する生育情報受信ステップ（Ｓ１３）と、管理サーバ３が生育情報受信ステップ（Ｓ１３）で受信した生育情報をデータベース１２に格納される最適生育情報と比較し、作物Ｐに適した生育環境情報を算出する生育環境算出ステップ（Ｓ１４）と、管理サーバ３が生育環境算出ステップ（Ｓ１４）で算出した生育環境情報を生育情報送信ステップ（Ｓ１２）で生育情報を送信した端末４２に送信する生育環境情報送信ステップ（Ｓ１５）と、複数の端末４２が管理サーバ３から生育環境情報送信ステップ（Ｓ１５）で送信される生育環境情報を受信する生育環境情報受信ステップ（Ｓ１６）と、複数の端末４２が生育環境情報受信ステップ（Ｓ１６）で受信した生育環境情報に基づいて作物Ｐの生育環境を制御する生育環境制御ステップ（Ｓ１７）とを備える。当該栽培方法は、生育情報取得ステップ（Ｓ１１）及び生育環境制御ステップ（Ｓ１７）を備え、生育情報送信ステップ（Ｓ１２）で生育情報取得ステップ（Ｓ１１）で取得された生育情報を管理サーバ３に送信する以外、図３の栽培方法と同様の手順で行うことができる。そのため、以下では生育情報取得ステップ（Ｓ１１）及び生育環境制御ステップ（Ｓ１７）についてのみ説明する。
【００８４】
（生育情報取得ステップ）
Ｓ１１は、生育情報取得手段４５ａによって行われる。Ｓ１１では、演算手段２５で算出された作物Ｐの吸液量情報を含む作物Ｐの生育情報を取得する。Ｓ１１では、上述の生育情報取得機構３６で取得された生育情報を取得する。Ｓ１１では、上記吸液量情報に加え、日射量情報、風速情報及び飽差情報の少なくともいずれか１つを含む生育情報を取得することが好ましい。
【００８５】
（生育環境制御ステップ）
Ｓ１７は、生育環境制御手段４５ｂによって行われる。Ｓ１７では、上述の生育環境調節機構３７を制御することで生育環境を制御する。Ｓ１７では、Ｓ１６で生育環境情報を受信すると作物Ｐの生育環境を自動的に制御することが好ましい。Ｓ１７で制御する生育環境は、光強度、栽培液Ｑの肥料濃度、風速、温度及び湿度の少なくともいずれか１つであるとよい。Ｓ１７では、光強度調節機構３０を制御することで作物Ｐに照射される光強度を制御する。また、Ｓ１７では、肥料濃度調節機構３１を制御することで作物Ｐに供給する栽培液Ｑの肥料濃度を制御する。また、Ｓ１７では、風速調節機構３２を制御することで上記栽培空間の風速を制御する。また、Ｓ１７では、温度調節機構３３を制御することで上記栽培空間の温度を制御する。また、Ｓ１７では、湿度調節機構３４を制御することで上記栽培空間の湿度を制御する。
【００８６】
当該栽培方法は、生育情報送信ステップ（Ｓ１２）で生育情報取得ステップ（Ｓ１１）で取得された生育情報を管理サーバ３に送信し、生育環境制御ステップ（Ｓ１７）で生育環境情報受信ステップ（Ｓ１６）で受信した生育環境情報を用いて作物Ｐの生育環境を制御するので、作物Ｐをより適切に生育することができる。特に、当該栽培方法は、生育環境制御ステップ（Ｓ１７）で作物Ｐの生育環境を自動的に制御することで、生育環境を調節するうえでの人為的なミスを抑制し、作物Ｐをさらに適切に生育することができる。
【００８７】
［第三実施形態］
＜栽培システム＞
図６の栽培システム５１は、情報通信ネットワークＸを介して作物Ｐの生育を管理する。当該栽培システム５１は、作物Ｐが栽培される圃場で用いられ、この作物Ｐの生育情報を取得可能な複数の端末５２と、複数の端末５２とネットワーク通信可能な管理サーバ５３とを備える。また、当該栽培システム５１は、作物Ｐを栽培可能な複数の栽培ユニット４を備える。
【００８８】
複数の端末５２は、栽培液Ｑの吸液量を含む作物Ｐの生育情報を管理サーバ５３に送信する生育情報送信手段５４ａと、作物Ｐの品質、収量又は収穫時期に関する希望情報を管理サーバ５３に送信する希望情報送信手段５４ｂと、管理サーバ５３から上記生育情報に基づく作物Ｐの栽培に適した生育環境情報を受信する生育環境情報受信手段５４ｃとを有する。管理サーバ５３は、作物Ｐを生育するのに適した上記生育情報に対応する最適生育情報を格納するデータベース５８と、複数の端末５２から生育情報送信手段５４ａで送信される生育情報を受信する生育情報受信手段５６ａと、複数の端末５２から希望情報送信手段５４ｂで送信される希望情報を受信する希望情報受信手段５６ｂと、生育情報受信手段５６ａで受信した生育情報をデータベース５８に格納される最適生育情報と比較し、作物Ｐに適した生育環境情報を算出する生育環境算出手段５７ａと、生育環境算出手段５７ａで算出した生育環境情報を生育情報送信手段５４ａで生育情報を送信した端末５２に送信する生育環境情報送信手段５６ｃとを有する。生育環境算出手段５７ａは、上記希望情報を加味した生育環境情報を算出する。
【００８９】
複数の端末５２は、情報通信ネットワークＸを介して管理サーバ５３とデータ通信可能な通信手段５４と、ＣＰＵを含み、各種通信の制御を行うと共に、例えばインストールされた所定のアプリケーションを実行する制御手段５５と、上記アプリケーションの実行や、その他必要な表示を行うディスプレイを含む表示手段（不図示）と、ＲＡＭ、ＲＯＭ、フラッシュメモリ等の半導体や、ＨＤＤ等の記憶媒体を含み、所定のアプリケーションプログラム等を格納すると共に、アプリケーションの処理等に必要となるデータが必要に応じて読み込まれる記憶手段（不図示）とを有する。通信手段５４は、上述の生育情報送信手段５４ａ、希望情報送信手段５４ｂ及び生育環境情報受信手段５４ｃを含む。
【００９０】
管理サーバ５３は、情報通信ネットワークＸを介して複数の端末５２とデータ通信可能な通信手段５６と、ＣＰＵを含み、各種通信の制御を行うと共に、作物Ｐの生育に必要な情報を算出する制御手段５７と、ＲＡＭ、ＲＯＭ、フラッシュメモリ等の半導体や、ＨＤＤ等の記憶媒体を含み、データベース５８や制御手段５７の実行プログラム等を格納すると共に、制御手段５７の処理に必要となるデータが必要に応じて読み込まれる記憶手段（不図示）とを有する。通信手段５６は、上述の生育情報受信手段５６ａ、希望情報受信手段５６ｂ及び生育環境情報送信手段５６ｃを含む。また、制御手段５７は、上述の生育環境算出手段５７ａを含む。
【００９１】
当該栽培システム５１は、複数の端末５２が希望情報送信手段５４ｂを有し、管理サーバ５３が希望情報受信手段５６ｂを有し、生育環境算出手段５７ａが上記希望情報を加味した生育環境情報を算出する以外、図１の栽培システム１と同様の構成とすることができる。そのため、以下では希望情報送信手段５４ｂ、希望情報受信手段５６ｂ及び生育環境算出手段５７ａについてのみ説明する。
【００９２】
（希望情報送信手段）
希望情報送信手段５４ｂは、端末５２の操作に基づいて作物Ｐの品質、収量又は収穫時期に関する希望情報を送信する。具体的には、希望情報送信手段５４ｂは、作物Ｐの果実の甘みを高めたい、収量を増やしたい、収穫時期を早めたい等の作業者の希望情報を管理サーバ５３に送信する。この希望情報は、作業者が任意に入力した情報であってもよく、当該栽培システム５１において予め設定された項目から選択されたものであってもよい。
【００９３】
（希望情報受信手段）
希望情報受信手段５６ｂは、上述のように希望情報送信手段５４ｂで送信される希望情報を受信する。
【００９４】
（生育環境算出手段）
生育環境算出手段５７ａは、複数の端末５２から送信される栽培液Ｑの吸液量情報を含む作物Ｐの生育情報に希望情報受信手段５６ｂで受信した希望情報を加味したうえで作物Ｐに適した生育環境情報を算出する。生育環境算出手段５７ａは、データベース５８に格納される最適生育情報に対して作物Ｐの生長を促進又は抑制するよう補正した生育環境情報を算出する。
【００９５】
生育環境算出手段５７ａは、例えば生育情報受信手段５６ａで生育情報として作物Ｐの吸液量情報を受信した場合、この吸液量情報に基づく作物Ｐに適した生育環境情報を算出する。この場合、例えばデータベース５８が上述のようにＡ＝ｎＭによって表される最適生育情報を格納し、生育環境算出手段５７ａがこの最適生育情報に上記希望情報を加味した希望生育環境に近づけるための作物Ｐの生育環境情報を算出する。例えば生育環境算出手段５７ａは、希望情報受信手段５６ｂが作物Ｐの果実の甘みを高めたいとの希望情報を受信した場合、Ａ＝ｎＭにおけるｎの値が小さくなるよう補正した希望生育環境に近づけるための作物Ｐの生育環境情報を算出する。また、生育環境算出手段５７ａは、希望情報受信手段５６ｂが作物Ｐの果実の収量を増やしたい又は収穫時期を早めたいとの希望情報を受信した場合、Ａ＝ｎＭにおけるｎの値が大きくなるよう補正した希望生育環境に近づけるための作物Ｐの生育環境情報を算出する。
【００９６】
一方、生育環境算出手段５７ａは、生育情報受信手段５６ａで生育情報として上記吸液量情報に加え、日射量情報、風速情報及び飽差情報の少なくともいずれか１つを受信した場合、これらの生育情報に基づく作物Ｐに適した生育環境情報を算出する。この場合、例えばデータベース５８が上述のようにＧ＝Ｆ／（ＳαＤβ）又はＧ＝Ｆ／（ＳαＤβＣγ）で表される最適生育情報を格納し、生育環境算出手段５７ａがこの最適生育情報に上記希望情報を加味した希望生育環境に近づけるための作物Ｐの生育環境情報を算出する。例えば生育環境算出手段５７ａは、希望情報受信手段５６ｂが作物Ｐの果実の甘みを高めたいとの希望情報を受信した場合、Ｇ＝Ｆ／（ＳαＤβ）又はＧ＝Ｆ／（ＳαＤβＣγ）におけるＧの値が小さくなるよう補正した希望生育環境に近づけるための作物Ｐの生育環境情報を算出する。また、生育環境算出手段５７ａは、希望情報受信手段５６ｂが作物Ｐの果実の収量を増やしたい又は収穫時期を早めたいとの希望情報を受信した場合、Ｇ＝Ｆ／（ＳαＤβ）又はＧ＝Ｆ／（ＳαＤβＣγ）におけるＧの値が大きくなるよう補正した希望生育環境に近づけるための作物Ｐの生育環境情報を算出する。
【００９７】
生育環境算出手段５７ａで算出する上記生育環境情報は、上述の生育環境調節機構３７によって調節可能な生育環境情報である。生育環境算出手段５７ａで算出する上記生育環境情報は、光強度情報、栽培液Ｑの肥料濃度情報、風速情報、温度情報及び湿度情報の少なくともいずれか１つであるとよい。
【００９８】
当該栽培システム５１は、複数の端末５２が、作物Ｐの品質、収量又は収穫時期に関する希望情報を管理サーバ５３に送信し、生育環境算出手段５７ａが上記希望情報を加味した上記生育環境情報を算出することによって、作物Ｐの品質、収量又は収穫時期が作業者の希望に近づくよう作物Ｐの生長を促すことができる。
【００９９】
＜栽培方法＞
次に、図７を参照して図６の栽培システム５１を用いた栽培方法について説明する。当該栽培方法は、情報通信ネットワークＸを介して作物Ｐの生育を管理する。当該栽培方法は、作物Ｐが栽培される圃場で用いられ、この作物Ｐの生育情報を取得可能な複数の端末５２と、作物Ｐを生育するのに適した上記生育情報に対応する最適生育情報を格納するデータベース５８を有し、複数の端末５２とネットワーク通信可能な管理サーバ５３とを用いる。
【０１００】
当該栽培方法は、複数の端末５２が栽培液Ｑの吸液量情報を含む作物Ｐの生育情報を管理サーバ５３に送信する生育情報送信ステップ（Ｓ２１）と、管理サーバ５３が複数の端末５２から生育情報送信ステップ（Ｓ２１）で送信される生育情報を受信する生育情報受信ステップ（Ｓ２２）と、複数の端末５２が作物Ｐの品質、収量又は収穫時期に関する希望情報を管理サーバ５３に送信する希望情報送信ステップ（Ｓ２３）と、管理サーバ５３が希望情報送信ステップ（Ｓ２３）で送信される希望情報を受信する希望情報受信ステップ（Ｓ２４）と、管理サーバ５３が生育情報受信ステップ（Ｓ２２）で受信した生育情報をデータベース５８に格納される最適生育情報と比較し、作物Ｐに適した生育環境情報を算出する生育環境算出ステップ（Ｓ２５）と、管理サーバ５３が生育環境算出ステップ（Ｓ２５）で算出した生育環境情報を生育情報送信ステップ（Ｓ２１）で生育情報を送信した端末５２に送信する生育環境情報送信ステップ（Ｓ２６）と、複数の端末５２が管理サーバ５３から生育環境情報送信ステップ（Ｓ２６）で送信される生育環境情報を受信する生育環境情報受信ステップ（Ｓ２７）とを備える。当該栽培方法は、生育環境算出ステップ（Ｓ２５）で、希望情報受信ステップ（Ｓ２４）で受信した希望情報を加味した生育環境情報を算出する。当該栽培方法における希望情報送信ステップ（Ｓ２３）、希望情報受信ステップ（Ｓ２４）及び生育環境算出ステップ（Ｓ２５）以外の各ステップは、図３の栽培方法と同様に行うことができる。そのため、以下では希望情報送信ステップ（Ｓ２３）、希望情報受信ステップ（Ｓ２４）及び生育環境算出ステップ（Ｓ２５）についてのみ説明する。なお、当該栽培方法では、希望情報送信ステップ（Ｓ２３）及び希望情報受信ステップ（Ｓ２４）を生育情報送信ステップ（Ｓ２１）及び生育情報受信ステップ（Ｓ２２）の前に行ってもよく、希望情報送信ステップ（Ｓ２３）及び希望情報受信ステップ（Ｓ２４）を生育情報送信ステップ（Ｓ２１）及び生育情報受信ステップ（Ｓ２２）と同時に行ってもよい。
【０１０１】
（希望情報送信ステップ）
Ｓ２３は、希望情報送信手段５４ｂによって行われる。Ｓ２３では、端末５２の操作に基づいて作物Ｐの品質、収量又は収穫時期に関する希望情報を送信する。具体的には、Ｓ２３では、作物Ｐの果実の甘みを高めたい、収量を増やしたい、収穫時期を早めたい等の作業者の希望情報を管理サーバ５３に送信する。この希望情報は、作業者が任意に入力した情報であってもよく、予め設定された項目から選択されたものであってもよい。
【０１０２】
（希望情報受信ステップ）
Ｓ２４は、希望情報受信手段５６ｂによって行われる。Ｓ２４では、上述のようにＳ２３で送信される希望情報を受信する。
【０１０３】
（生育環境算出ステップ）
Ｓ２５は、生育環境算出手段５７ａによって行われる。Ｓ２５では、Ｓ２２で受信した生育情報にＳ２４で受信した希望情報を加味したうえで作物Ｐに適した生育環境情報を算出する。Ｓ２５では、データベース５８に格納される最適生育情報に対して作物Ｐの生長を促進又は抑制するよう補正した生育環境情報を算出する。
【０１０４】
Ｓ２５では、例えばＳ２２で生育情報として作物Ｐの吸液量情報を受信した場合、この吸液量情報に基づく作物Ｐに適した生育環境情報を算出する。この場合、例えばデータベース５８が上述のようにＡ＝ｎＭで表される最適生育情報を格納し、Ｓ２５でこの最適生育情報に上記希望情報を加味した希望生育環境に近づけるための作物Ｐの生育環境情報を算出する。例えばＳ２５では、Ｓ２４で作物Ｐの果実の甘みを高めたいとの希望情報を受信した場合、Ａ＝ｎＭにおけるｎの値が小さくなるよう補正した希望生育環境に近づけるための作物Ｐの生育環境情報を算出する。また、Ｓ２５では、Ｓ２４で作物Ｐの果実の収量を増やしたい又は収穫時期を早めたいとの希望情報を受信した場合、Ａ＝ｎＭにおけるｎの値が大きくなるよう補正した希望生育環境に近づけるための作物Ｐの生育環境情報を算出する。
【０１０５】
一方、Ｓ２５では、Ｓ２２で生育情報として上記吸液量情報に加え、日射量情報、風速情報及び飽差情報の少なくともいずれか１つを受信した場合、これらの生育情報に基づく作物Ｐに適した生育環境情報を算出する。この場合、例えばデータベース５８が上述のようにＧ＝Ｆ／（ＳαＤβ）又はＧ＝Ｆ／（ＳαＤβＣγ）で表される最適生育情報を格納し、Ｓ２５でこの最適生育情報に上記希望情報を加味した希望生育環境に近づけるための作物Ｐの生育環境情報を算出する。例えばＳ２５では、Ｓ２４で作物Ｐの果実の甘みを高めたいとの希望情報を受信した場合、Ｇ＝Ｆ／（ＳαＤβ）又はＧ＝Ｆ／（ＳαＤβＣγ）におけるＧの値が小さくなるよう補正した希望生育環境に近づけるための作物Ｐの生育環境情報を算出する。また、Ｓ２５では、Ｓ２４で作物Ｐの果実の収量を増やしたい又は収穫時期を早めたいとの希望情報を受信した場合、Ｇ＝Ｆ／（ＳαＤβ）又はＧ＝Ｆ／（ＳαＤβＣγ）におけるＧの値が大きくなるよう補正した希望生育環境に近づけるための作物Ｐの生育環境情報を算出する。
【０１０６】
Ｓ２５で算出する上記生育環境情報は、上述の生育環境調節機構３７によって調節可能な生育環境情報である。Ｓ２５で算出する上記生育環境情報は、光強度情報、栽培液Ｑの肥料濃度情報、風速情報、温度情報及び湿度情報の少なくともいずれか１つであるとよい。
【０１０７】
当該栽培方法は、Ｓ２３で作物Ｐの品質、収量又は収穫時期に関する希望情報を管理サーバ５３に送信し、Ｓ２５で上記希望情報を加味した上記生育環境情報を算出することによって、作物Ｐの品質、収量又は収穫時期が作業者の希望に近づくよう作物Ｐの生長を促すことができる。
【０１０８】
［第四実施形態］
＜栽培システム＞
図８の栽培システム６１は、情報通信ネットワークＸを介して作物Ｐの生育を管理する。当該栽培システム６１は、作物Ｐが栽培される圃場で用いられ、この作物Ｐの生育情報を取得可能な複数の端末６２と、複数の端末６２とネットワーク通信可能な管理サーバ６３とを備える。また、当該栽培システム６１は、作物Ｐを栽培可能な複数の栽培ユニット４を備える。
【０１０９】
複数の端末６２は、栽培液Ｑの吸液量情報を含む作物Ｐの生育情報を管理サーバ６３に送信する生育情報送信手段６４ａと、管理サーバ６３から上記生育情報に基づく作物Ｐの栽培に適した生育環境情報を受信する生育環境情報受信手段６４ｂと、生育環境情報受信手段６４ｂで受信した生育環境情報に基づいて作物Ｐを栽培した生育結果情報を管理サーバ６３に送信する生育結果情報送信手段６４ｃとを有する。管理サーバ６３は、作物Ｐを生育するのに適した上記生育情報に対応する最適生育情報を格納するデータベース６８と、複数の端末６２から生育情報送信手段６４ａで送信される生育情報を受信する生育情報受信手段６６ａと、生育情報受信手段６６ａで受信した生育情報をデータベース６８に格納される最適生育情報と比較し、作物Ｐに適した生育環境情報を算出する生育環境算出手段６７ａと、生育環境算出手段６７ａで算出した生育環境情報を生育情報送信手段６４ａで生育情報を送信した端末６２に送信する生育環境情報送信手段６６ｂと、生育結果情報送信手段６４ｃで送信される生育結果情報を受信する生育結果情報受信手段６６ｃとを有する。
【０１１０】
複数の端末６２は、情報通信ネットワークＸを介して管理サーバ６３とデータ通信可能な通信手段６４と、ＣＰＵを含み、各種通信の制御を行うと共に、例えばインストールされた所定のアプリケーションを実行する制御手段６５と、上記アプリケーションの実行や、その他必要な表示を行うディスプレイを含む表示手段（不図示）と、ＲＡＭ、ＲＯＭ、フラッシュメモリ等の半導体や、ＨＤＤ等の記憶媒体を含み、所定のアプリケーションプログラム等を格納すると共に、アプリケーションの処理等に必要となるデータが必要に応じて読み込まれる記憶手段（不図示）とを有する。通信手段６４は、上述の生育情報送信手段６４ａ、生育環境情報受信手段６４ｂ及び生育結果情報送信手段６４ｃを含む。
【０１１１】
管理サーバ６３は、情報通信ネットワークＸを介して複数の端末６２とデータ通信可能な通信手段６６と、ＣＰＵを含み、各種通信の制御を行うと共に、作物Ｐの生育に必要な情報を算出する制御手段６７と、ＲＡＭ、ＲＯＭ、フラッシュメモリ等の半導体や、ＨＤＤ等の記憶媒体を含み、データベース６８や制御手段６７の実行プログラム等を格納すると共に、制御手段６７の処理に必要となるデータが必要に応じて読み込まれる記憶手段（不図示）とを有する。通信手段６６は、上述の生育情報受信手段６６ａ、生育環境情報送信手段６６ｂ及び生育結果情報受信手段６６ｃを含む。また、制御手段６７は、上述の生育環境算出手段６７ａを含む。
【０１１２】
当該栽培システム６１は、複数の端末６２が生育結果情報送信手段６４ｃを有し、管理サーバ６３が生育結果情報受信手段６６ｃを有する以外、図１の栽培システム１と同様の構成とすることができる。
【０１１３】
当該栽培システム６１は、複数の端末６２が生育結果情報送信手段６４ｃを有し、管理サーバ６３が生育結果情報受信手段６６ｃを有するので、管理サーバ６３に実際の生育結果情報をフィードバックすることができる。
【０１１４】
＜栽培方法＞
次に、図９を参照して図８の栽培システム６１を用いた栽培方法について説明する。当該栽培方法は、情報通信ネットワークＸを介して作物Ｐの生育を管理する。当該栽培方法は、作物Ｐが栽培される圃場で用いられ、この作物Ｐの生育情報を取得可能な複数の端末６２と、作物Ｐを生育するのに適した上記生育情報に対応する最適生育情報を格納するデータベース６８を有し、複数の端末６２とネットワーク通信可能な管理サーバ６３とを用いる。
【０１１５】
当該栽培方法は、複数の端末６２が栽培液Ｑの吸液量情報を含む作物Ｐの生育情報を管理サーバ６３に送信する生育情報送信ステップ（Ｓ３１）と、管理サーバ６３が複数の端末６２から生育情報送信ステップ（Ｓ３１）で送信される生育情報を受信する生育情報受信ステップ（Ｓ３２）と、管理サーバ６３が生育情報受信ステップ（Ｓ３２）で受信した生育情報をデータベース６８に格納される最適生育情報と比較し、作物Ｐに適した生育環境情報を算出する生育環境算出ステップ（Ｓ３３）と、管理サーバ６３が生育環境算出ステップ（Ｓ３３）で算出した生育環境情報を生育情報送信ステップ（Ｓ３１）で生育情報を送信した端末６２に送信する生育環境情報送信ステップ（Ｓ３４）と、複数の端末６２が管理サーバ６３から生育環境情報送信ステップ（Ｓ３４）で送信される生育環境情報を受信する生育環境情報受信ステップ（Ｓ３５）と、複数の端末６２が生育環境情報受信ステップ（Ｓ３５）で受信した生育環境情報に基づいて作物Ｐを栽培した生育結果情報を管理サーバ６３に送信する生育結果情報送信ステップ（Ｓ３６）と、管理サーバ６３が生育結果情報送信ステップ（Ｓ３６）で送信される生育結果情報を受信する生育結果情報受信ステップ（Ｓ３７）とを備える。生育結果情報送信ステップ（Ｓ３６）は、生育結果情報送信手段６４ｃによって行われる。生育結果情報受信ステップ（Ｓ３７）は、生育結果情報受信手段６６ｃによって行われる。
【０１１６】
当該栽培方法における生育結果情報送信ステップ（Ｓ３６）及び生育結果情報受信ステップ（Ｓ３７）以外の各ステップは、図３の栽培方法と同様に行うことができる。
【０１１７】
当該栽培方法は、生育結果情報送信ステップ（Ｓ３６）で、生育環境算出ステップ（Ｓ３３）で算出された上記生育環境情報に基づいて作物Ｐを栽培した生育結果情報を管理サーバ６３に送信し、生育結果情報受信ステップ（Ｓ３７）でこの生育結果情報を受信するので、管理サーバ６３に実際の生育結果情報をフィードバックすることができる。
【０１１８】
［その他の実施形態］
今回開示された実施の形態は全ての点で例示であって制限的なものではないと考えられるべきである。本発明の範囲は、上記実施形態の構成に限定されるものではなく、特許請求の範囲によって示され、特許請求の範囲と均等の意味及び範囲内での全ての変更が含まれることが意図される。
【０１１９】
例えば当該栽培システムは作物の生育情報を取得可能な１つの端末のみを備えていてもよい。また、当該栽培方法は、作物の生育情報を取得可能な１つの端末のみを用いたものであってもよい。
【０１２０】
上述の実施形態の少なくとも一部の構成は任意に組み合わせて用いることが可能である。例えば図１、図６及び図８の栽培システムにおいて、栽培ユニット及びこの栽培ユニットに対応する端末が栽培装置を構成していてもよい。また、図１、図６及び図８の栽培システムの端末が、栽培ユニットで栽培される作物の生育情報を取得する生育情報取得手段及び栽培ユニットで栽培される作物の生育環境を制御する生育環境制御手段を有していてもよい。また、図６の栽培システムにおいて、端末が生育環境情報受信手段で受信した生育環境情報に基づいて作物を栽培した生育結果情報を管理サーバに送信する生育結果情報送信手段を有し、管理サーバが上記生育結果情報を受信する生育結果情報受信手段を有していてもよい。
【０１２１】
当該栽培システムは、１又は複数の端末が作物の生育情報を取得可能である限り、必ずしも上記実施形態で説明した栽培ユニットを備えていなくてもよい。また、当該栽培システムは、上記栽培ユニットを備える場合でも、この栽培ユニットの培地部、貯留槽、送液部、供給機構、架台等の具体的構成は上記実施形態で説明した構成に限定されるものではない。
【符号の説明】
【０１２２】
１，４１，５１，６１  栽培システム
２，４２，５２，６２  端末
３，５３，６３  管理サーバ
４  栽培ユニット
１１，１３，４４，５４，５６，６４，６６  通信手段
１１ａ，４４ａ，５４ａ，６４ａ  生育情報送信手段
１１ｂ，４４ｂ，５４ｃ，６４ｂ  生育環境情報受信手段
１２，５８，６８  データベース
１３ａ，５６ａ，６６ａ  生育情報受信手段
１３ｂ，５６ｃ，６６ｂ  生育環境情報送信手段
１４，１５，４５，５５，５７，６５，６７  制御手段
１４ａ，５７ａ，６７ａ  生育環境算出手段
２１  培地部
２１ａ  枠体
２１ｂ  粒子
２２  貯留槽
２３  送液部
２４  供給機構
２４ａ  栽培液槽
２４ｂ  ポンプ
２４ｃ  センサ
２４ｄ  駆動制御部
２５  演算手段
２６  架台
２７  日射量取得機構
２８  風速取得機構
２９  飽差取得機構
３０  光強度調節機構
３１  肥料濃度調節機構
３２  風速調節機構
３３  温度調節機構
３４  湿度調節機構
３５  流量計
３６  生育情報取得機構
３７  生育環境調節機構
４３  栽培装置
４５ａ  生育情報取得手段
４５ｂ  生育環境制御手段
５４ｂ  希望情報送信手段
５６ｂ  希望情報受信手段
６４ｃ  生育結果情報送信手段
６６ｃ  生育結果情報受信手段
Ｐ  作物
Ｑ  栽培液
Ｘ  情報通信ネットワーク
【図１】
2019163058.tif 000003
【図２】
2019163058.tif 000004
【図３】
2019163058.tif 000005
【図４】
2019163058.tif 000006
【図５】
2019163058.tif 000007
【図６】
2019163058.tif 000008
【図７】
2019163058.tif 000009
【図８】
2019163058.tif 000010
【図９】
2019163058.tif 000011
【国際調査報告】
2019163058.tif 000012
2019163058.tif 000013
2019163058.tif 000014
2019163058.tif 000015